(57)【要約】【課題】接点ピンを収容するホルダー部を１つの部材で構成することによって接点ピンの取り付けが容易となる接点ピン構造を提供する。【解決手段】突出接触部及び外方フランジ部を有する接点ピンと、接点ピンの突出接触部を摺動可能に保持するホルダー部と、接点ピンに導通すべき回路基板と、回路基板と接点ピンとの間に挿入され、外方フランジがホルダー部に接触する位置まで接点ピンをホルダー部から突出させると同時に回路基板と接点ピンとを導通させるばね手段と、を有し、ホルダー部に、接点ピンの突出接触部をその軸方向と直交する方向から挿入可能とする、外方フランジ径より幅の狭い接点ピン受容スリット部を形成してある。【選択図】  図２
2004191689.tif 000002
【特許請求の範囲】
【請求項１】
突出接触部及び外方フランジ部を有する接点ピンと、
前記接点ピンの前記突出接触部を摺動可能に保持するホルダー部と、
前記接点ピンに導通すべき回路基板と、
前記回路基板と前記接点ピンとの間に挿入され、前記外方フランジが前記ホルダー部に接触する位置まで前記接点ピンを前記ホルダー部から突出させると同時に前記回路基板と前記接点ピンとを導通させるばね手段と、
を有する接点ピン構造において、
前記ホルダー部に、前記接点ピンの前記突出接触部をその軸方向と直交する方向から挿入可能とする、外方フランジ径より幅の狭い接点ピン受容スリット部を形成したことを特徴とする接点ピン構造。
【請求項２】
請求項１記載の接点ピン構造において、前記ばね手段は圧縮コイルバネからなり、前記接点ピンは、前記外方フランジの前記突出接触部の反対側において、前記圧縮コイルばねに圧入されるばね圧入軸部を有する接点ピン構造。
【請求項３】
請求項１または請求項２記載の接点ピン構造において、前記ホルダー部は、前記接点ピン受容スリット部に続けて、前記回路基板を固定する固定壁を有している接点ピン構造。
【請求項４】
請求項１ないし請求項３のいずれか１項記載の接点ピン構造において、前記接点ピンは、交換レンズ鏡筒と前記交換レンズ鏡筒を着脱するカメラボディとの間で情報または電力を授受し、環状部材からなる前記ホルダー部は、前記接点ピンの前記突出接触部を突出させる穴部を有する前記交換レンズ鏡筒のマウント環によって覆われている接点ピン構造。
【発明の詳細な説明】
【０００１】
【技術分野】
本発明はホルダー部を有する接点ピン構造に関し、とくにレンズ鏡筒の接点取り付け構造に関する。
【０００２】
【従来技術及びその問題点】
従来のレンズ鏡筒においては、図７及び図８に示すように、ホルダー部８０は、第１ホルダー部５５とその裏側に固定された別体の第２ホルダー部７０によって形成されており、第１ホルダー部５５の外周に沿って接点ピン６０が配置されていた。接点ピン６０は、ホルダー部８０内に外方フランジ部６２、突出接触部６３、ばね１００を配置した状態で、第１ホルダー部５５と第２ホルダー部７０を固定することにより、ホルダー部８０に固定される。このとき、ホルダー部８０内にその先端が配置された回路基板９０も第２ホルダー部７０と第１ホルダー部５５との間に挟まれた状態で固定される。ばね１００は、円柱状の接点ピン６０の軸方向６０ａに伸縮可能であるため、接点ピン６０をその軸方向６０ａにおいて第２ホルダー部７０側へ押し込むと、その先端が回路基板９０に接触したばね１００は次第に縮んで突出接触部６３の先端が回路基板９０に接触することによって、回路基板９０と突出接触部６３との電気的導通をとることができる。
【０００３】
しかし、従来の構成においては、第２ホルダー部７０と第１ホルダー部５５とが別体であることにより、接点ピン６０及び回路基板９０を所定の位置に維持しつつ第１ホルダー部５５と第２ホルダー部７０の二つの部材の固定をしなければならないため、接点ピン６０及び回路基板９０の取り付けに時間を要していた。また、いったん固定された第１ホルダー部５５と第２ホルダー部７０をばらして接点ピン１０の調整を行うのは困難であった。
【０００４】
【発明の目的】
そこで本発明の目的は、接点ピンを収容するホルダー部を１つの部材で構成することによって接点ピンの取り付けが容易となる接点ピン構造を提供することにある。
【０００５】
【発明の概要】
前記問題点を解決するために、本発明の接点ピン構造においては、突出接触部及び外方フランジ部を有する接点ピンと、接点ピンの突出接触部を摺動可能に保持するホルダー部と、接点ピンに導通すべき回路基板と、回路基板と接点ピンとの間に挿入され、外方フランジがホルダー部に接触する位置まで接点ピンをホルダー部から突出させると同時に回路基板と接点ピンとを導通させるばね手段と、を有し、ホルダー部に、接点ピンの突出接触部をその軸方向と直交する方向から挿入可能とする、外方フランジ径より幅の狭い接点ピン受容スリット部を形成してある。
【０００６】
また、ばね手段は圧縮コイルバネからなり、接点ピンは、外方フランジの突出接触部の反対側において、圧縮コイルばねに圧入されるばね圧入軸部を有することとしてもよい。
【０００７】
さらに、ホルダー部は、接点ピン受容スリット部に続けて、回路基板を固定する固定壁を有していることが好ましい。
【０００８】
また、接点ピンは、交換レンズ鏡筒と交換レンズ鏡筒を着脱するカメラボディとの間で情報または／及び電力を授受し、環状部材からなるホルダー部は、接点ピンの突出接触部を突出させる穴部を有する交換レンズ鏡筒のマウント環によって覆われていてもよい。
【０００９】
【発明の実施形態】
以下、本発明にかかる実施形態を図面を参照しつつ詳しく説明する。
本実施形態は、図１〜図４に示すように、本発明にかかる接点ピン構造１をカメラ用レンズ鏡筒に適用したものであって、接点ピン構造１は、接点ピン１０、本体部２、本体部２の端面２ａの上部２ｂに設けられたホルダー部２６、回路基板３０、ばね手段５０を有する。
【００１０】
図２に示すように、レンズ鏡筒の本体部４０とは別に成形したホルダー部２６を有する本体部２は、レンズ鏡筒の本体部４０にねじ止めして固定されている。接点ピン１０は、レンズ鏡筒の本体部４０において、ホルダー部２６に対応する部分に設けられた穴部４３から挿入される。このように構成することにより、レンズ鏡筒の本体部４０がホルダー部２６の上部を覆う部材を兼ねることができるため部材点数を減らすことができる。
【００１１】
図３及び図４に示すように、接点ピン１０は、略円柱状のばね圧入軸部１１と、ばね圧入軸部１１と同軸にその端部から延びている円柱状の突出接触部１３と、ばね圧入軸部１１及び突出接触部１３の間に同軸に配置された円板状の外方フランジ部１２と、を有する。突出接触部１３の周囲には円筒状の圧縮コイルバネからなるばね手段５０を同心状に配置可能であって、ばね手段５０はその軸方向に伸縮可能である。また、ばね圧入軸部１１は、ばね手段５０に圧入されている。
【００１２】
ホルダー部２６は、外方フランジ部１２が挿入される略円筒状のフランジ挿入部２２と、フランジ挿入部２２と一体に形成される略円筒状の凹部２０とによって構成される。凹部２０はレンズ鏡筒の軸方向４０ａに平行に延び、突出接触部１３を摺動可能に保持できる。凹部２０の上方は、接点ピン１０及びばね手段５０をレンズ鏡筒の軸方向４０ａと直交する方向から凹部２０内へ挿入可能であり、かつ、接点ピン１０を調整するために開放されている。フランジ挿入部２２は、外方フランジ部１２の外径よりもその幅を狭くしてあるため、外方フランジ部１２をフランジ挿入部２２内に圧入することにより、外方フランジ部１２の径方向の動きが規制される。
【００１３】
ホルダー部２６には、凹部２０に続けて回路基板３０を固定するための固定壁２５がレンズ鏡筒の径方向の面に設けられている。固定壁２５上には、その下部に設けられたスリット２４から挿入された回路基板（ＦＰＣ）３０の先端部分が配置されている。
【００１４】
図５に示すように、接点ピン１０の凹部２０への挿入は、ばね手段５０に接点ピン１０の突出接触部１３を挿入した状態で、凹部２０の上方からばね手段５０を固定壁２５及び回路基板３０に押し付けながら行う。突出接触部１３を凹部２０に、外方フランジ部１２をフランジ挿入部２２内に挿入した後、接点ピン１０を押し付ける力を解放するとばね手段５０の弾性力により外方フランジ部１２はフランジ挿入部２２の内側面２２ｂに押し付けられるため、接点ピン１０は固定される。また、レンズ鏡筒の軸方向４０ａにおいて、フランジ挿入部２２の長さは、外方フランジ部１２の長さより長くしてあるため、接点ピン１０に力を与えることによって、外方フランジ部１２は、レンズ鏡筒の軸方向４０ａにおいて、フランジ挿入部２２内で移動可能である。なお、接点ピン１０をホルダー部２６に装着した後は、レンズ鏡筒の本体４０によって凹部２０の上方は覆われるが、本体４０を取り外すことによりホルダー部２６の調整を行うことができる。
【００１５】
外方フランジ部１２をフランジ挿入部２２に収納すると、ばね圧入軸部１１の端部は本体部２の端面２ａから突出し、かつ、接点ピン１０をばね手段５０の弾性力に抗して、外方フランジ部１２がフランジ挿入部２２の奥側内側面２２ａに接触する位置まで押し込んだ状態においても、ばね圧入軸部１１の端部は端面２ａから突出するようになっている。
【００１６】
以上の構成により、接点ピン１０が付勢されていない状態においては突出接触部１３は回路基板３０に接触していないが、接点ピン１０にレンズ鏡筒の軸方向４０ａの力を加えて行くとばね手段５０は次第に縮み、所定の力を加えたところで突出接触部１３とばね手段５０の長さは同一となって突出接触部１３は回路基板３０に接触する。ばね圧入軸部１１及び突出接触部１３は金属製であるため、突出接触部１３が回路基板３０に接触すると回路基板３０、突出接触部１３、ばね圧入軸部１１が電気的に導通する。このときも、ばね圧入軸部１１は端面２ａから突出しているため、レンズ鏡筒が装着されるカメラ本体（不図示）側においてホルダー部２６に対応する位置に配置された金属製の接点（不図示）に接触可能である。したがって、レンズ鏡筒をカメラ本体にマウントすると、金属製の接点が接点ピン１０に押し付けられることにより、ばね手段５０が縮んで突出接触部１３が回路基板３０に接触して、回路基板３０、突出接触部１３、ばね圧入軸部１１及び接点が電気的に導通する。このため、レンズ鏡筒とカメラ本体との間で電気信号により各種情報または／及び電力情報のやりとりを行うことができる。また、カメラ本体からレンズ鏡筒から取り外すなどにより、接点ピン１０に対する押し付け力を取り除くと縮んでいたばね手段５０はその弾性力により回復するため、外方フランジ部１２はフランジ挿入部２２内の端面２ａ側の内側面２２ｂに接触する位置までもどる。
【００１７】
また、ホルダー部２６は、一体に形成された凹部２０とフランジ挿入部２２により構成されているため、従来のように接点ピン６０のホルダー部８０への装着のときに接点ピン６０を支えつつ複数の部材を固定する必要がなく、接点ピン１０をホルダー部２６に挿入するだけで接点ピン構造１を構成することができる。
【００１８】
次に、本実施形態の変形例について説明する。
図６に示すように、ホルダー部２６をレンズ鏡筒の固定環（マウント環）４１の端部上方に設けることもできる。この場合は、固定環４１が固定される本体部４０において、ホルダー部２６に対応する部分に設けられた穴部４２から接点ピン１０を挿入する。このように構成することにより、本体部４０が固定環４１の上部を覆う部材を兼ねることができるため部材点数を減らすことができる。
【００１９】
本発明について前記実施形態を参照しつつ説明したが、本発明は前記実施例に限定されるものではなく、改良の目的または本発明の思想の範囲内において改良または変更が可能である。
【００２０】
【発明の効果】
以上説明したように、本発明によると、接点ピンを収容するホルダー部を１つの部材で構成することによって、接点ピンの取り付けを容易とすることができる。
【図面の簡単な説明】
【図１】（ａ）は本発明の実施形態にかかる接点ピン構造を斜め前から見た斜視図、（ｂ）は斜め後方から見た斜視図である。
【図２】本発明の実施形態にかかる接点ピン構造とレンズ鏡筒の本体とが固定された状態を示す側面図である。
【図３】本発明の実施形態にかかる接点ピンの構成を示す図である。
【図４】（ａ）は本発明の実施形態にかかる接点ピン構造の上面図であり、（ｂ）はその側面図である。
【図５】本発明の実施形態において接点ピンをホルダー部に装着するときの様子を示す側面図である。
【図６】本発明の実施形態の変形例を示す概略図である。
【図７】従来の接点ピン構造の正面図である。
【図８】従来の接点ピン構造の側面図である。
【符号の説明】
１    接点ピン構造
１０  接点ピン
１１  ばね圧入軸部
１２  外方フランジ部
２０  凹部
２２  フランジ挿入部
２６  ホルダー部
３０  回路基板
５０  ばね手段
【図１】
2004191689.tif 000003
【図２】
2004191689.tif 000004
【図３】
2004191689.tif 000005
【図４】
2004191689.tif 000006
【図５】
2004191689.tif 000007
【図６】
2004191689.tif 000008
【図７】
2004191689.tif 000009
【図８】
2004191689.tif 000010